(57)【要約】【課題】従来の結像光学系の課題であった軸上色収差を良好に補正し、Ｆ値がＦ１．４程度の結像光学系を提供する。【解決手段】物体側から像側へ順に、正の屈折力を有する第１レンズ群Ｌ１と、正の屈折力を有する第２レンズ群Ｌ２と、からなる結像光学系において、前記第１レンズ群Ｌ１は２つ以上の接合レンズを有し、前記接合レンズは全て物体側から像側へ順に負レンズ素子と正レンズ素子とで構成され、前記第２レンズ群Ｌ２は開口絞りＳを含み、フォーカシングに際して前記第２レンズ群Ｌ２が物体側に移動するとともに、前記第１レンズ群Ｌ１が像面に対して固定であり、所定の条件式を満足する。【選択図】図1
2019219472.tif 000002
【特許請求の範囲】
【請求項１】
物体側から像側へ順に、
正の屈折力を有する第１レンズ群Ｌ１と、
正の屈折力を有する第２レンズ群Ｌ２と、
からなり、
前記第１レンズ群Ｌ１は、２つ以上の接合レンズを有し、前記接合レンズは全て、物体側から像側へ順に、負レンズ素子と正レンズ素子とで構成され、
前記第２レンズ群Ｌ２は、開口絞りＳを含み、
フォーカシングに際して、前記第２レンズ群Ｌ２が物体側に移動するとともに、前記第１レンズ群Ｌ１が像面に対して固定であり、以下の条件式を満足することを特徴とする結像光学系。
2019219472.tif 000011
但し、
Ａｃｉは以下の式で表される。
Ａｃｉ  ＝  φｃｐｉ／νｄｃｐｉ  ＋  φｃｍｉ／νｄｃｍｉ
φｃｐｉは、前記第１レンズ群Ｌ１に含まれる物体側からｉ番目の接合レンズの正レンズ素子の屈折力、
νｄｃｐｉは、前記第１レンズ群Ｌ１に含まれる物体側からｉ番目の接合レンズの正レンズ素子のアッベ数、
φｃｍｉは、前記第１レンズ群Ｌ１に含まれる物体側からｉ番目の接合レンズの負レンズ素子の屈折力、
νｄｃｍｉは、前記第１レンズ群Ｌ１に含まれる物体側からｉ番目の接合レンズの負レンズ素子のアッベ数である。
【請求項２】
前記接合レンズが以下の条件式を同時に満足することを特徴とする請求項１記載の結像光学系。
φｃｐ／νｄｃｐ  ＋  φｃｍ／νｄｃｍ  ＞  ０   （２）
φｃ′ｐ／νｄｃ′ｐ  ＋  φｃ′ｍ／νｄｃ′ｍ  ＜  ０  （３）
但し、
φｃｐは、前記第１レンズ群Ｌ１に含まれる前記接合レンズの正レンズ素子の屈折力、
νｄｃｐは、前記第１レンズ群Ｌ１に含まれる前記接合レンズの正レンズ素子のアッベ数、
φｃｍは、前記第１レンズ群Ｌ１に含まれる前記接合レンズの負レンズ素子の屈折力、
νｄｃｍは、前記第１レンズ群Ｌ１に含まれる前記接合レンズの負レンズ素子のアッベ数、
φｃ′ｐは、前記第１レンズ群Ｌ１に含まれる前記接合レンズで条件式（２）を満足する接合レンズ以外の接合レンズの正レンズ素子の屈折力、
νｄｃ′ｐは、前記第１レンズ群Ｌ１に含まれる前記接合レンズで条件式（２）を満足する接合レンズ以外の接合レンズの正レンズ素子のアッベ数、
φｃ′ｍは、前記第１レンズ群Ｌ１に含まれる前記接合レンズで条件式（２）を満足する接合レンズ以外の接合レンズの負レンズ素子の屈折力、
νｄｃ′ｍは、前記第１レンズ群Ｌ１に含まれる前記接合レンズで条件式（２）を満足する接合レンズ以外の接合レンズの負レンズ素子のアッベ数である。
【請求項３】
前記第２レンズ群Ｌ２は、前記開口絞りＳより物体側に少なくとも１枚の正レンズ素子を有し、少なくとも１枚の前記正レンズ素子が以下の条件式を満足することを特徴とする請求項１又は２記載の結像光学系。
νｄＬ２ｆｐ  ＜  ３０       （４）
０．００９０  ＜  ΔＰｇｆＬ２ｆｐ     （５）
但し、
νｄＬ２ｆｐは前記正レンズ素子のアッベ数νｄ、
ＰｇｆＬ２ｆｐは前記正レンズ素子のｇ線とＦ線に関する部分分散比Ｐｇｆである。
ΔＰｇｆＬ２ｆｐは前記正レンズ素子の異常分散性であり、以下の式で表される。
ΔＰｇｆＬ２ｆｐ  ＝  ＰｇｆＬ２ｆｐ  ＋  ０．００１８×νｄＬ２ｆｐ  ―  ０．６４８３３
【請求項４】
前記第２レンズ群Ｌ２は、負の屈折力の３枚接合レンズＬ２ｃを少なくとも１つ有し、前記接合レンズＬ２ｃは、物体側から像側へ順に、正レンズ素子と負レンズ素子と正レンズ素子とで構成され、以下の条件式を満足することを特徴とする請求項１乃至３のいずれかに記載の結像光学系。
｜ＡＬ２ｃ｜  ＜  ０．００２０      （６）
2019219472.tif 000012
但し、
2019219472.tif 000013
は、前記接合レンズＬ２ｃに含まれる正レンズ素子の部分分散比の平均値、
ＰｇｆＬ２ｃｍは、前記接合レンズＬ２ｃに含まれる負レンズ素子の部分分散比であり、
ＡＬ２ｃは以下の式で表される。
ＡＬ２ｃ＝  φＬ２ｃｐ１／νｄＬ２ｃｐ１  ＋  φＬ２ｃｍ１／νｄＬ２ｃｍ１  ＋  φＬ２ｃｐ２／νｄＬ２ｃｐ２
但し、
φＬ２ｃｐ１は、前記接合レンズＬ２ｃのうち、最も物体側に配される正レンズ素子の屈折力、
νｄＬ２ｃｐ１は、前記接合レンズＬ２ｃのうち、最も物体側に配される正レンズ素子のアッベ数、
φＬ２ｃｍ１は、前記接合レンズＬ２ｃのうち、負レンズ素子の屈折力、
νｄＬ２ｃｍ１は、前記接合レンズＬ２ｃのうち、負レンズ素子のアッベ数、
φＬ２ｃｐ２は、前記接合レンズＬ２ｃのうち、最も像側に配される正レンズ素子の屈折力、
νｄＬ２ｃｐ２は、前記接合レンズＬ２ｃのうち、最も像側に配される正レンズ素子のアッベ数である。
【請求項５】
前記開口絞りＳの物体側に配される全てのレンズ素子をレンズ群Ｌｓｆとし、前記レンズ群Ｌｓｆは正の屈折力を有し、以下の条件式を満足することを特徴とする請求項１乃至４のいずれかに記載の結像光学系。
１．５０  ＜  φ／φｓｆ  ＜  ３．８０    （８）
但し、
φは、レンズ全系の無限遠合焦時の屈折力、
φｓｆは、前記レンズ群Ｌｓｆの無限遠合焦時の屈折力である。
【請求項６】
以下の条件式を満足することを特徴とする請求項１乃至５のいずれかに記載の結像光学系。
１．５０  ＜  φ／φ２  ＜  ２．８０     （９）
但し、
φは、レンズ全系の無限遠合焦時の屈折力、
φ２は、前記第２レンズ群Ｌ２の屈折力である。
【発明の詳細な説明】
【技術分野】
【０００１】
本発明は、デジタルカメラ、銀塩カメラ及びビデオカメラ等に最適であり、特に、画角が７２°〜９４°程度で、Ｆ値がＦ１．４程度の、結像光学系に関する。
【背景技術】
【０００２】
昨今のデジタルカメラはイメージセンサーが高画素化しているため、特に軸上色収差が補正不足な結像光学系の場合、結像面での像の色付きや、アウトフォーカス部でのボケ像への色付きがより顕著なものとなってしまう。このような問題を解決するためには軸上色収差をより小さくなるよう補正することが重要となる。
【０００３】
以下の特許文献において従来の結像光学系が開示されている。
【０００４】
特許文献１では、画角が７１°〜８４°程度で、Ｆ値がＦ１．４程度の光学系が開示されている。
【０００５】
また、特許文献２では、画角が７５°程度で、Ｆ値がＦ１．４程度の光学系が開示されている。
【先行技術文献】
【特許文献】
【０００６】
【特許文献１】特許第５１９６２０４号公報
【特許文献２】特許第３２６１７１６号公報
【発明の概要】
【発明が解決しようとする課題】
【０００７】
しかしながら、特許文献１や特許文献２で開示されている結像光学系は、軸上色収差補正が不十分である。
【０００８】
そこで、本発明は、従来の結像光学系の課題を解決し、軸上色収差が良好に補正され、Ｆ値がＦ１．４程度の結像光学系を提供することを目的とする。
【課題を解決するための手段】
【０００９】
上記の課題を解決するために、本発明の結像光学系は、物体側から像側へ順に、正の屈折力を有する第１レンズ群Ｌ１と、正の屈折力を有する第２レンズ群Ｌ２と、からなり、前記第１レンズ群Ｌ１は、２つ以上の接合レンズを有し、前記接合レンズは全て、物体側から像側へ順に、負レンズ素子と正レンズ素子とで構成され、前記第２レンズ群Ｌ２は、開口絞りＳを含み、フォーカシングに際して、前記第２レンズ群Ｌ２が物体側に移動するとともに、前記第１レンズ群Ｌ１が像面に対して固定であり、以下の条件式を満足することを特徴とした。
2019219472.tif 000003
但し、
Ａｃｉは以下の式で表される。
Ａｃｉ  ＝  φｃｐｉ／νｄｃｐｉ  ＋  φｃｍｉ／νｄｃｍｉ
φｃｐｉは、前記第１レンズ群Ｌ１に含まれる物体側からｉ番目の接合レンズの正レンズ素子の屈折力、
νｄｃｐｉは、前記第１レンズ群Ｌ１に含まれる物体側からｉ番目の接合レンズの正レンズ素子のアッベ数、
φｃｍｉは、前記第１レンズ群Ｌ１に含まれる物体側からｉ番目の接合レンズの負レンズ素子の屈折力、
νｄｃｍｉは、前記第１レンズ群Ｌ１に含まれる物体側からｉ番目の接合レンズの負レンズ素子のアッベ数である。
【００１０】
また、第２の発明は、第１の発明においてさらに、前記接合レンズが以下の条件式を同時に満足することを特徴とした。
φｃｐ／νｄｃｐ  ＋  φｃｍ／νｄｃｍ  ＞  ０  （２）
φｃ′ｐ／νｄｃ′ｐ  ＋  φｃ′ｍ／νｄｃ′ｍ  ＜  ０  （３）
但し、
φｃｐは、前記第１レンズ群Ｌ１に含まれる前記接合レンズの正レンズ素子の屈折力、
νｄｃｐは、前記第１レンズ群Ｌ１に含まれる前記接合レンズの正レンズ素子のアッベ数、
φｃｍは、前記第１レンズ群Ｌ１に含まれる前記接合レンズの負レンズ素子の屈折力、
νｄｃｍは、前記第１レンズ群Ｌ１に含まれる前記接合レンズの負レンズ素子のアッベ数、
φｃ′ｐは、前記第１レンズ群Ｌ１に含まれる前記接合レンズで条件式（２）を満足する接合レンズ以外の接合レンズの正レンズ素子の屈折力、
νｄｃ′ｐは、前記第１レンズ群Ｌ１に含まれる前記接合レンズで条件式（２）を満足する接合レンズ以外の接合レンズの正レンズ素子のアッベ数、
φｃ′ｍは、前記第１レンズ群Ｌ１に含まれる前記接合レンズで条件式（２）を満足する接合レンズ以外の接合レンズの負レンズ素子の屈折力、
νｄｃ′ｍは、前記第１レンズ群Ｌ１に含まれる前記接合レンズで条件式（２）を満足する接合レンズ以外の接合レンズの負レンズ素子のアッベ数である。
【００１１】
また、第３の発明は、第１及び第２の発明においてさらに、前記第２レンズ群Ｌ２は、前記開口絞りＳより物体側に少なくとも１枚の正レンズ素子を有し、少なくとも１枚の前記正レンズ素子が以下の条件式を満足することを特徴とした。
νｄＬ２ｆｐ  ＜  ３０      （４）
０．００９０  ＜  ΔＰｇｆＬ２ｆｐ     （５）
但し、
νｄＬ２ｆｐは前記正レンズ素子のアッベ数νｄ、
ＰｇｆＬ２ｆｐは前記正レンズ素子のｇ線とＦ線に関する部分分散比Ｐｇｆである。
ΔＰｇｆＬ２ｆｐは前記正レンズ素子の異常分散性であり、以下の式で表される。
ΔＰｇｆＬ２ｆｐ  ＝  ＰｇｆＬ２ｆｐ  ＋  ０．００１８×νｄＬ２ｆｐ  ―  ０．６４８３３
【００１２】
また、第４の発明は、第１乃至第３の発明においてさらに、前記第２レンズ群Ｌ２は、負の屈折力の３枚接合レンズＬ２ｃを少なくとも１つ有し、前記接合レンズＬ２ｃは、物体側から像側へ順に、正レンズ素子と負レンズ素子と正レンズ素子とで構成され、以下の条件式を満足することを特徴とした。
｜ＡＬ２ｃ｜  ＜  ０．００２０     （６）
2019219472.tif 000004
但し、
2019219472.tif 000005
は、前記接合レンズＬ２ｃに含まれる正レンズ素子の部分分散比の平均値、
ＰｇｆＬ２ｃｍは、前記接合レンズＬ２ｃに含まれる負レンズ素子の部分分散比であり、
ＡＬ２ｃは以下の式で表される。
ＡＬ２ｃ＝  φＬ２ｃｐ１／νｄＬ２ｃｐ１  ＋  φＬ２ｃｍ１／νｄＬ２ｃｍ１  ＋  φＬ２ｃｐ２／νｄＬ２ｃｐ２
但し、
φＬ２ｃｐ１は、前記接合レンズＬ２ｃのうち、最も物体側に配される正レンズ素子の屈折力、
νｄＬ２ｃｐ１は、前記接合レンズＬ２ｃのうち、最も物体側に配される正レンズ素子のアッベ数、
φＬ２ｃｍ１は、前記接合レンズＬ２ｃのうち、負レンズ素子の屈折力、
νｄＬ２ｃｍ１は、前記接合レンズＬ２ｃのうち、負レンズ素子のアッベ数、
φＬ２ｃｐ２は、前記接合レンズＬ２ｃのうち、最も像側に配される正レンズ素子の屈折力、
νｄＬ２ｃｐ２は、前記接合レンズＬ２ｃのうち、最も像側に配される正レンズ素子のアッベ数である。
【００１３】
また、第５の発明は、第１乃至第４の発明においてさらに、前記開口絞りＳの物体側に配される全てのレンズ素子をレンズ群Ｌｓｆとし、前記レンズ群Ｌｓｆは正の屈折力を有し、以下の条件式を満足することを特徴とした。
１．５０  ＜  φ／φｓｆ  ＜  ３．８０    （８）
但し、
φは、レンズ全系の無限遠合焦時の屈折力、
φｓｆは、前記レンズ群Ｌｓｆの無限遠合焦時の屈折力である。
【００１４】
また、第６の発明は、第１乃至第５の発明においてさらに、以下の条件式を満足することを特徴とした。
１．５０  ＜  φ／φ２  ＜  ２．８０     （９）
但し、
φは、レンズ全系の無限遠合焦時の屈折力、
φ２は、前記第２レンズ群Ｌ２の屈折力である。
【発明の効果】
【００１５】
本発明によれば、従来の結像光学系の課題であった軸上色収差を良好に補正し、Ｆ値がＦ１．４程度の結像光学系を提供することができる。
【図面の簡単な説明】
【００１６】
【図１】本発明の実施例１に係る無限遠合焦時のレンズ構成図である。
【図２】本発明の実施例１に係る無限遠合焦時の縦収差図である。
【図３】本発明の実施例１に係る撮影距離９５３ｍｍにおける縦収差図である。
【図４】本発明の実施例１に係る無限遠合焦時の横収差図である。
【図５】本発明の実施例１に係る撮影距離９５３ｍｍにおける横収差図である。
【図６】本発明の実施例２に係る無限遠合焦時のレンズ構成図である。
【図７】本発明の実施例２に係る無限遠合焦時の縦収差図である。
【図８】本発明の実施例２に係る撮影距離１１１９ｍｍにおける縦収差図である。
【図９】本発明の実施例２に係る無限遠合焦時の横収差図である。
【図１０】本発明の実施例２に係る撮影距離１１１９ｍｍにおける横収差図である。
【図１１】本発明の実施例３に係る無限遠合焦時のレンズ構成図である。
【図１２】本発明の実施例３に係る無限遠合焦時の縦収差図である。
【図１３】本発明の実施例３に係る撮影距離１２７１ｍｍにおける縦収差図である。
【図１４】本発明の実施例３に係る無限遠合焦時の横収差図である。
【図１５】本発明の実施例３に係る撮影距離１２７１ｍｍにおける横収差図である。
【図１６】本発明の実施例４に係る無限遠合焦時のレンズ構成図である。
【図１７】本発明の実施例４に係る無限遠合焦時の縦収差図である。
【図１８】本発明の実施例４に係る撮影距離１２６１ｍｍにおける縦収差図である。
【図１９】本発明の実施例４に係る無限遠合焦時の横収差図である。
【図２０】本発明の実施例４に係る撮影距離１２６１ｍｍにおける横収差図である。
【図２１】本発明の実施例５に係る無限遠合焦時のレンズ構成図である。
【図２２】本発明の実施例５に係る無限遠合焦時の縦収差図である。
【図２３】本発明の実施例５に係る撮影距離１２７５ｍｍにおける縦収差図である。
【図２４】本発明の実施例５に係る無限遠合焦時の横収差図である。
【図２５】本発明の実施例５に係る撮影距離１２７５ｍｍにおける横収差図である。
【図２６】本発明の実施例６に係る無限遠合焦時のレンズ構成図である。
【図２７】本発明の実施例６に係る無限遠合焦時の縦収差図である。
【図２８】本発明の実施例６に係る撮影距離１２７５ｍｍにおける縦収差図である。
【図２９】本発明の実施例６に係る無限遠合焦時の横収差図である。
【図３０】本発明の実施例６に係る撮影距離１２７５ｍｍにおける横収差図である。
【図３１】本発明の実施例７に係る無限遠合焦時のレンズ構成図である。
【図３２】本発明の実施例７に係る無限遠合焦時の縦収差図である。
【図３３】本発明の実施例７に係る撮影距離１３３５ｍｍにおける縦収差図である。
【図３４】本発明の実施例７に係る無限遠合焦時の横収差図である。
【図３５】本発明の実施例７に係る撮影距離１３３５ｍｍにおける横収差図である。
【発明を実施するための形態】
【００１７】
以下に、本発明にかかる光学系の実施例について詳細に説明する。なお、以下の実施例の説明は本発明の光学系の一例を説明したものであり、本発明はその要旨を逸脱しない範囲において本実施例に限定されるものではない。
【００１８】
本実施例の結像光学系は、物体側から像側へ順に、正の屈折力を有する第１レンズ群Ｌ１と、正の屈折力を有する第２レンズ群Ｌ２と、
からなり、前記第１レンズ群Ｌ１は、２つ以上の接合レンズを有し、前記接合レンズは全て、物体側から像側へ順に、負レンズ素子と正レンズ素子とで構成され、前記第２レンズ群Ｌ２は、開口絞りＳを含み、フォーカシングに際して、前記第２レンズ群Ｌ２が物体側に移動するとともに、前記第１レンズ群Ｌ１が像面に対して固定であり、以下の条件式を満足することを特徴とする。
2019219472.tif 000006
但し、
Ａｃｉは以下の式で表される。
Ａｃｉ  ＝  φｃｐｉ／νｄｃｐｉ  ＋  φｃｍｉ／νｄｃｍｉ
φｃｐｉは、前記第１レンズ群Ｌ１に含まれる物体側からｉ番目の接合レンズの正レンズ素子の屈折力、
νｄｃｐｉは、前記第１レンズ群Ｌ１に含まれる物体側からｉ番目の接合レンズの正レンズ素子のアッベ数、
φｃｍｉは、前記第１レンズ群Ｌ１に含まれる物体側からｉ番目の接合レンズの負レンズ素子の屈折力、
νｄｃｍｉは、前記第１レンズ群Ｌ１に含まれる物体側からｉ番目の接合レンズの負レンズ素子のアッベ数である。
【００１９】
なお、Ｆ線、ｄ線、Ｃ線、の屈折率をそれぞれ、ＮＦ、Ｎｄ、ＮＣとした場合、アッベ数νｄは以下の式で表す。
νｄ  ＝  （Ｎｄ−１）／（ＮＦ−ＮＣ）
【００２０】
第１レンズ群Ｌ１内に少なくとも２つの接合レンズを配することで、レンズ全系の軸上色収差補正を効果的に行うことができる。
【００２１】
条件式（１）は、高性能化のため、第１レンズ群Ｌ１に含まれる接合レンズの１次の色消し条件の和を規定したものである。
【００２２】
条件式（１）の上限値を超え、第１レンズ群Ｌ１に含まれる接合レンズの色消し条件の和が大きくなると、１次の色消しが不十分となるため、軸上色収差が悪化してしまう。
【００２３】
なお、条件式（１）の上限値を０．００１１にすることで、前述の効果をより確実にすることができる。
【００２４】
さらに、第１レンズ群Ｌ１内の接合レンズが以下の条件式を同時に満足することを特徴とする。
φｃｐ／νｄｃｐ  ＋  φｃｍ／νｄｃｍ  ＞  ０  （２）
φｃ′ｐ／νｄｃ′ｐ  ＋  φｃ′ｍ／νｄｃ′ｍ  ＜  ０  （３）
但し、
φｃｐは、前記第１レンズ群Ｌ１に含まれる前記接合レンズの正レンズ素子の屈折力、
νｄｃｐは、前記第１レンズ群Ｌ１に含まれる前記接合レンズの正レンズ素子のアッベ数、
φｃｍは、前記第１レンズ群Ｌ１に含まれる前記接合レンズの負レンズ素子の屈折力、
νｄｃｍは、前記第１レンズ群Ｌ１に含まれる前記接合レンズの負レンズ素子のアッベ数、
φｃ′ｐは、前記第１レンズ群Ｌ１に含まれる前記接合レンズで条件式（２）を満足する接合レンズ以外の接合レンズの正レンズ素子の屈折力、
νｄｃ′ｐは、前記第１レンズ群Ｌ１に含まれる前記接合レンズで条件式（２）を満足する接合レンズ以外の接合レンズの正レンズ素子のアッベ数、
φｃ′ｍは、前記第１レンズ群Ｌ１に含まれる前記接合レンズで条件式（２）を満足する接合レンズ以外の接合レンズの負レンズ素子の屈折力、
νｄｃ′ｍは、前記第１レンズ群Ｌ１に含まれる前記接合レンズで条件式（２）を満足する接合レンズ以外の接合レンズの負レンズ素子のアッベ数である。
【００２５】
条件式（２）及び（３）は、高性能化のため、第１レンズ群Ｌ１に含まれる接合レンズの１次の色消し条件値の符号を規定したものである。
【００２６】
条件式（２）及び（３）を同時に満足することで、第１レンズ群Ｌ１に含まれる異なる接合レンズ同士間で１次の色消し条件の値を打ち消すことができるため、条件式（１）で規定した第１レンズ群Ｌ１に含まれる接合レンズの１次の色消し条件の和をより効果的に小さくすることができる。これにより、軸上色収差を低減し易くすることができる。
【００２７】
条件式（２）及び（３）を同時に満足しない場合、異なる接合レンズ同士間で１次の色消し条件の値を打ち消すことができない。そのため、条件式（１）を満足するには、条件式（２）及び（３）を同時に満足する場合に比べ、各接合レンズ単体での１次の色消し条件の値を小さくする必要があり、接合レンズを構成するレンズ素子の硝材や屈折力の自由度が制限されてしまう。
【００２８】
さらに、前記第２レンズ群Ｌ２は、前記開口絞りＳより物体側に少なくとも１枚の正レンズ素子を有し、少なくとも１枚の前記正レンズ素子が以下の条件式を満足することを特徴とする。
νｄＬ２ｆｐ  ＜  ３０      （４）
０．００９０  ＜  ΔＰｇｆＬ２ｆｐ     （５）
但し、
νｄＬ２ｆｐは前記正レンズ素子のアッベ数νｄ、
ＰｇｆＬ２ｆｐは前記正レンズ素子のｇ線とＦ線に関する部分分散比Ｐｇｆである。
ΔＰｇｆＬ２ｆｐは前記正レンズ素子の異常分散性であり、以下の式で表される。
ΔＰｇｆＬ２ｆｐ  ＝  ＰｇｆＬ２ｆｐ  ＋  ０．００１８×νｄＬ２ｆｐ  ―  ０．６４８３３
【００２９】
条件式（４）及び（５）は、高性能化のため、前記第２レンズ群Ｌ２のうち、前記開口絞りＳより物体側に配される正レンズ素子のアッベ数νｄと異常分散性ΔＰｇｆを規定したものである。
【００３０】
なお、ｇ線、Ｆ線、ｄ線、Ｃ線、の屈折率をそれぞれ、Ｎｇ、ＮＦ、Ｎｄ、ＮＣとした場合、部分分散比Ｐｇｆはそれぞれ以下の式で表す。
Ｐｇｆ  ＝  （Ｎｇ−ＮＦ）／（ＮＦ−ＮＣ）
【００３１】
条件式（４）の上限値を超えると共に条件式（５）の下限値を超え、正レンズ素子Ｌ２ｆｐのアッベ数νｄが大きくなると共に異常分散性ΔＰｇｆが小さくなると、特に、２次スペクトルの補正が不足することで、軸上色収差が悪化してしまう。
【００３２】
なお、条件式（４）の上限値を２４、条件式（５）の下限値を０．０１００にすることで、前述の効果をより確実にすることができる。
【００３３】
さらに、前記第２レンズ群Ｌ２は負の屈折力の３枚接合レンズＬ２ｃを少なくとも１つ有し、前記接合レンズＬ２ｃは、物体側から像側へ順に、正レンズ素子と負レンズ素子と正レンズ素子とで構成され、以下の条件式を満足することを特徴とする。
｜ＡＬ２ｃ｜＜  ０．００２０      （６）
2019219472.tif 000007
但し、
2019219472.tif 000008
は、前記接合レンズＬ２ｃに含まれる正レンズ素子の部分分散比の平均値、
ＰｇｆＬ２ｃｍは、前記接合レンズＬ２ｃに含まれる負レンズ素子の部分分散比であり、
ＡＬ２ｃは以下の式で表される。
ＡＬ２ｃ＝  φＬ２ｃｐ１／νｄＬ２ｃｐ１  ＋  φＬ２ｃｍ１／νｄＬ２ｃｍ１  ＋  φＬ２ｃｐ２／νｄＬ２ｃｐ２
但し、
φＬ２ｃｐ１は、前記接合レンズＬ２ｃのうち、最も物体側に配される正レンズ素子の屈折力、
νｄＬ２ｃｐ１は、前記接合レンズＬ２ｃのうち、最も物体側に配される正レンズ素子のアッベ数、
φＬ２ｃｍ１は、前記接合レンズＬ２ｃのうち、負レンズ素子の屈折力、
νｄＬ２ｃｍ１は、前記接合レンズＬ２ｃのうち、負レンズ素子のアッベ数、
φＬ２ｃｐ２は、前記接合レンズＬ２ｃのうち、最も像側に配される正レンズ素子の屈折力、
νｄＬ２ｃｐ２は、前記接合レンズＬ２ｃのうち、最も像側に配される正レンズ素子のアッベ数である。
【００３４】
第２レンズ群Ｌ２に含まれる３枚接合レンズＬ２ｃは、２枚接合レンズに正レンズ素子を追加し３枚接合レンズとすることで、接合レンズ全体としては負の屈折力を保持しつつ、２枚接合時に比べてペッツバール和を小さくすることができる。これによりレンズ全系での像面湾曲補正がし易くなる。またさらに、２次スペクトルの補正を効果的に行うことができるようになるため、軸上色収差補正に有利となる。
【００３５】
条件式（６）は軸上色収差低減のため、接合レンズＬ２ｃの１次の色消し条件を規定したものである。またさらに、条件式（７）は、軸上色収差低減のため、接合レンズＬ２ｃを構成する正レンズ素子の部分分散比の平均値と負レンズ素子の部分分散比の差を規定したものである。
【００３６】
条件式（６）の上限値を超え、接合レンズＬ２ｃの色消し条件値が大きくなると、１次の色消しが不十分となるため、軸上色収差が悪化してしまう。
【００３７】
条件式（７）の上限値を超え、接合レンズＬ２ｃ含まれる正レンズ素子の部分分散比の平均値と負レンズ素子の部分分散比の差が大きくなると、２次スペクトルの補正が不十分となるため、軸上色収差が悪化してしまう。
【００３８】
なお、上述した条件式（６）について、その上限値を０．００１５に、また、条件式（７）について上限値を０．０６０にすることで、前述の効果をより確実にすることができる。
【００３９】
さらに、前記開口絞りＳの物体側に配されるレンズ群をレンズ群Ｌｓｆとし、前記レンズ群Ｌｓｆは正の屈折力を有し、以下の条件式を満足することを特徴とする。
１．５０  ＜  φ／φｓｆ  ＜  ３．８０    （８）
但し、
φは、レンズ全系の無限遠合焦時の屈折力、
φｓｆは、前記レンズ群Ｌｓｆの無限遠合焦時の屈折力である。
【００４０】
条件式（８）は、小型化と高性能化のため、前記レンズ群Ｌｓｆの屈折力を規定したものである。
【００４１】
条件式（８）の上限値を超え、レンズ群Ｌｓｆの屈折力が弱くなると、開口絞りＳでのＦ値光束径が増大するため、Ｆ値を維持しようとした場合に、絞り径が増大し、絞りユニット径の増大、ひいては製品径の増大に繋がり、小型化に不利となる。
【００４２】
条件式（８）の下限値を超え、レンズ群Ｌｓｆの屈折力が強くなると、開口絞りＳでのＦ値光束径は減少するため、絞りユニット径が減少し、小型化には有利になる。一方、主にレンズ群Ｌｓｆで発生する像面湾曲が悪化し、これをレンズ全系で良好に補正することが困難となるため、高性能化に不利となる。
【００４３】
なお、条件式（８）下限値を１．６０、上限値を３．４０にすることで、前述の効果をより確実にすることができる。
【００４４】
さらに、以下の条件式を満足することを特徴とする。
１．５０  ＜  φ／φ２  ＜  ２．８０     （９）
但し、
φは、レンズ全系の無限遠合焦時の屈折力、
φ２は、前記第２レンズ群Ｌ２の屈折力である。
【００４５】
条件式（９）は、高性能化と小型化のため、第２レンズ群Ｌ２の屈折力を規定したものである。
【００４６】
条件式（９）の下限値を超え、第２レンズ群Ｌ２の屈折力が強くなると、フォーカシングに際する移動量が小さくなるため、小型化には有利になるが、フォーカシングに際する非点収差や球面収差等、諸収差の変動が増大するだけでなく、製造誤差敏感度が大きくなるため、高性能化に不利となる。
【００４７】
条件式（９）の上限値を超え、第２レンズ群Ｌ２の屈折力が弱くなると、フォーカシングに際する諸収差の変動は軽減するため、高性能化には有利になるが、フォーカシングに際する移動量が増大するため、小型化には不利となる。
【００４８】
なお、上述した条件式（９）について、その下限値を１．６０、また上限値を２．４０にすることで、前述の効果をより確実にすることができる。
【００４９】
以下、本発明にかかる結像光学系の実施例１乃至７の数値データを示す。
【００５０】
［面データ］において、面番号は物体側から数えたレンズ面又は開口絞りの番号、ｒは各面の曲率半径、ｄは各面の間隔、ｎｄはｄ線（波長λ＝５８７．５６ｎｍ）に対する屈折率、νｄはｄ線に対するアッベ数を示す。また、ＢＦはバックフォーカスを表し、空気の屈折率ｎ＝１．００００はその記載を省略する。
【００５１】
面番号を付した（絞り）には、平面または開口絞りに対する曲率半径∞（無限大）を記入している。
【００５２】
［非球面データ］には［面データ］において＊を付したレンズ面の非球面形状を与える各係数値を示している。非球面の形状は、光軸に直交する方向への変位をｙ、非球面と光軸の交点から光軸方向への変位（サグ量）をｚ、コーニック係数をＫ、４、６、８、１０、１２次の非球面係数をそれぞれＡ４、Ａ６、Ａ８、Ａ１０、Ａ１２と置くとき、非球面の座標が以下の式で表わされるものとする。
【００５３】
2019219472.tif 000009
【００５４】
［各種データ］には、各焦点距離状態における焦点距離等の値を示している。
【００５５】
［可変間隔データ］には、各焦点距離状態における可変間隔及びＢＦ（バックフォーカス）の値を示している。
【００５６】
［レンズ群データ］には、各レンズ群を構成する最も物体側の面番号及び群全体の合成焦点距離を示している。
【００５７】
なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【００５８】
また、これらの各実施例における条件式の対応値の一覧を示す。
【００５９】
また、各実施例に対応する収差図において、ｄ、ｇ、Ｃはそれぞれｄ線、ｇ線、Ｃ線を表しており、ΔＳ、ΔＭはそれぞれサジタル像面、メリジオナル像面を表している。さらに図１、６、１１、１６、２１、２６、３１に示すレンズ構成図において、Ｓは開口絞り、Ｉは像面、ＬＰＦはローパスフィルター、中心を通る一点鎖線は光軸である。
【実施例１】
【００６０】
図１は、実施例１に係る結像光学系の無限遠におけるレンズ構成図である。実施例１の結像光学系は、物体側から像側へ順に、フォーカシング時に固定の正の屈折力を有する第１レンズ群Ｌ１と、フォーカシング時に物体側に移動し正の屈折力を有する第２レンズ群Ｌ２とから構成される。
【００６１】
第１レンズ群Ｌ１は、物体側から像側へ順に、物体側に凸面を向けた凹メニスカスレンズと、Ｒ１面とＲ２面両面が非球面で物体側に凸面を向けた凹メニスカスレンズと、物体側に凹面を向けた凸メニスカスレンズと、両凹レンズと両凸レンズの接合レンズと、両凹レンズと両凸レンズの接合レンズと、両凸レンズとから構成される。
【００６２】
第２レンズ群Ｌ２は、物体側から像側へ順に、Ｒ１面とＲ２面両面が非球面の両凸レンズと、両凸レンズと両凹レンズの接合レンズと、開口絞りＳと、物体側に凹面を向けた凸メニスカスレンズと物体側に凹面を向けた凹メニスカスレンズと物体側に凹面を向けた凸メニスカスレンズとの３枚接合レンズと、両凸レンズと、Ｒ１面とＲ２面両面が非球面で物体側に凹面を向けた凸メニスカスレンズとから構成される。
【００６３】
続いて、以下に実施例１に係る結像光学系の諸元値を示す。
【００６４】
数値実施例1
単位：mm
[面データ]
面番号            r              d             nd             vd
物面                  ∞           (d0)                            
1              53.4749         2.3408        1.77250          49.62
2              27.5945         7.7901
3*              29.5724         2.4000        1.58913          61.25
4*              16.2027        21.2312
5            -136.8641         3.9575        1.77250          49.62
6             -49.2678         1.1941
7             -39.8952         1.7000        1.49700          81.61
8              70.9259         5.5173        1.91082          35.25
9             -84.3707         2.6708
10             -43.7633         1.5001        1.85025          30.05
11              26.4118         7.8197        1.72916          54.67
12            -136.5673         0.2500
13              48.6668         5.3624        1.84666          23.78
14            -236.4311            d14
15*             90.0894         4.9824        1.77250          49.50
16*            -62.7008         0.1500
17             220.3760         3.2473        1.84666          23.78
18             -96.1980         1.1000        1.73800          32.33
19              29.7541         5.2694
20(絞り)                ∞         7.0592
21             -42.6299         6.6374        1.43700          95.10
22             -14.9350         1.0000        1.73800          32.33
23            -195.3434         3.1938        1.59282          68.63
24             -50.6823         0.1500
25              67.9179         9.8729        1.49700          81.61
26             -25.9219         0.1500
27*            -45.4031         2.6766        1.77250          49.47
28*            -31.2521            d28
29                   ∞         1.4500        1.52301          58.59
30                   ∞             BF
像面                  ∞               
[非球面データ]
3面            4面           15面
K                0.0000        -1.0000         0.0000
A4           -1.1390E-05    -2.7150E-06    -8.5665E-07
A6            5.4962E-09    -1.1948E-08    -1.7530E-09
A8           -9.6831E-12     4.7094E-11     8.1494E-12
A10           0.0000E+00    -1.3842E-13     3.0132E-15
A12           0.0000E+00     1.2548E-16     0.0000E+00
16面           27面           28面
K                0.0000         0.0000         0.0000
A4            4.8448E-06    -2.1308E-05    -1.0105E-05
A6           -5.3211E-09     1.0902E-08     1.3472E-08
A8            9.5752E-12    -2.3912E-10    -1.8227E-10
A10          -2.5306E-15     4.7523E-13     3.7010E-13
A12           0.0000E+00     0.0000E+00     0.0000E+00
[各種データ]
INF
焦点距離             20.70
Fナンバー             1.47
全画角2ω            94.26
像高Y              21.63
レンズ全長           152.53
[可変間隔データ]
INF       撮影距離953mm
d0                   ∞       800.4343
d14              4.3469         3.8142
d28             36.5102        37.0429
BF               1.0000         1.0000
[レンズ群データ]
群            始面         焦点距離
L1              1                118.45
L2             15                 45.91
Lsf             1                 66.80
【実施例２】
【００６５】
図６は、実施例２に係る結像光学系の無限遠におけるレンズ構成図である。実施例２の結像光学系は、物体側から像側へ順に、フォーカシング時に固定の正の屈折力を有する第１レンズ群Ｌ１と、フォーカシング時に物体側に移動し正の屈折力を有する第２レンズ群Ｌ２とから構成される。
【００６６】
第１レンズ群Ｌ１は、物体側から像側へ順に、物体側に凸面を向けた凹メニスカスレンズと、Ｒ１面とＲ２面両面が非球面で物体側に凸面を向けた凹メニスカスレンズと、両凸レンズと、両凹レンズと両凸レンズの接合レンズと、両凹レンズと両凸レンズの接合レンズと、両凸レンズとから構成される。
【００６７】
第２レンズ群Ｌ２は、物体側から像側へ順に、Ｒ１面とＲ２面両面が非球面の両凸レンズと、両凸レンズと両凹レンズの接合レンズと、開口絞りＳと、物体側に凹面を向けた凸メニスカスレンズと両凹レンズと両凸レンズとの３枚接合レンズＬ２ｃと、両凸レンズと、Ｒ１面とＲ２面両面が非球面で物体側に凹面を向けた凸メニスカスレンズとから構成される。
【００６８】
続いて、以下に実施例２に係る結像光学系の諸元値を示す。
【００６９】
数値実施例2
単位：mm
[面データ]
面番号            r              d             nd             vd
物面                  ∞           (d0)                          
1              42.6657         1.9000        1.77250          49.62
2              22.8995         8.5583
3*              38.3333         2.4000        1.49710          81.56
4*              19.2526         8.7434
5             278.5124         3.3670        1.85478          24.80
6            -139.9988         3.9263
7             -37.2551         1.7000        1.49700          81.61
8              67.1430         6.2229        1.91082          35.25
9             -80.5816         1.5661
10             -63.9954         1.5000        1.85478          24.80
11              34.6073         7.8360        1.59282          68.63
12            -103.1843         3.8780
13              53.9119         5.5666        1.90366          31.32
14            -375.5120            d14
15*            264.4779         4.0349        1.88202          37.22
16*            -77.3746         0.1500
17             146.7616         5.3028        1.84666          23.78
18             -55.1442         1.1000        1.73800          32.33
19              42.0650         4.7092
20(絞り)                ∞         4.0693
21             -48.9249         8.3301        1.43700          95.10
22             -18.2490         1.0000        1.73800          32.33
23              49.7510         5.9436        1.59282          68.63
24             -94.0091         0.1500
25              59.8943         9.5878        1.59282          68.63
26             -34.5739         3.9360
27*            -63.6600         2.4583        1.77250          49.50
28*            -39.9714            d28
29                   ∞         1.4500        1.52301          58.59
30                   ∞             BF
像面                  ∞                         
[非球面データ]
3面            4面           15面
K                0.0000        -1.0000         0.0000
A4           -4.4298E-07    -4.9531E-07     5.2261E-07
A6            1.6875E-09    -4.4836E-09     9.4980E-10
A8            6.3740E-12    -2.5171E-11    -6.2182E-12
A10           0.0000E+00     1.0175E-13     3.2821E-14
A12           0.0000E+00    -2.1236E-16     0.0000E+00
16面           27面           28面
K                0.0000         0.0000         0.0000
A4            2.9534E-06    -1.6336E-05    -7.6523E-06
A6           -1.4551E-09    -1.8624E-08    -1.4413E-08
A8           -7.6519E-13    -5.6588E-11    -3.9912E-11
A10           2.5510E-14     1.9222E-13     1.5418E-13
A12           0.0000E+00     0.0000E+00     0.0000E+00
[各種データ]
INF 
焦点距離             24.80
Fナンバー             1.47
全画角2ω            83.34
像高Y              21.63
レンズ全長           152.51
[可変間隔データ]
INF      撮影距離1119mm
d0                   ∞       966.5632     
d14              5.6134         4.9812
d28             36.5100        37.1422
BF               1.0000         1.0000
[レンズ群データ]
群            始面         焦点距離
L1              1                171.66
L2             15                 49.78
Lsf             1                 55.69
【実施例３】
【００７０】
図１１は、実施例３に係る結像光学系の無限遠におけるレンズ構成図である。実施例３の結像光学系は、物体側から像側へ順に、フォーカシング時に固定の正の屈折力を有する第１レンズ群Ｌ１と、フォーカシング時に物体側に移動し正の屈折力を有する第２レンズ群Ｌ２とから構成される。
【００７１】
第１レンズ群Ｌ１は、物体側から像側へ順に、物体側に凸面を向けた凹メニスカスレンズと、Ｒ１面とＲ２面両面が非球面で物体側に凸面を向けた凹メニスカスレンズと、両凸レンズと、両凹レンズと両凸レンズの接合レンズと、両凹レンズと両凸レンズの接合レンズと、両凸レンズとから構成される。
【００７２】
第２レンズ群Ｌ２は、物体側から像側へ順に、両凸レンズと、Ｒ１面とＲ２面両面が非球面の両凸レンズと、両凸レンズと両凹レンズの接合レンズと、開口絞りＳと、物体側に凹面を向けた凸メニスカスレンズと両凹レンズと両凸レンズとの３枚接合レンズＬ２ｃと、両凸レンズと、Ｒ１面とＲ２面両面が非球面で物体側に凹面を向けた凸メニスカスレンズとから構成される。
【００７３】
続いて、以下に実施例３に係る結像光学系の諸元値を示す。
【００７４】
数値実施例3
単位：mm
[面データ]
面番号            r              d             nd             vd
物面                  ∞           (d0)                      
1              48.0651         1.9000        1.76385          48.49
2              25.4960         9.1253
3*              55.2369         2.4000        1.59201          67.02
4*              24.2885         7.2278
5             223.6627         3.8007        1.91082          35.25
6            -139.9982         4.0139
7             -40.4092         1.7000        1.49700          81.61
8              94.1778         6.6641        1.91082          35.25
9             -68.7374         2.4945
10             -45.3983         1.5000        1.73800          32.33
11              29.9643         9.4843        1.61997          63.88
12            -365.2249         0.2500
13              59.6766         7.3739        1.80420          46.50
14            -101.7896            d14
15              83.0947         4.5999        1.77250          49.62
16            -204.8076         0.1489
17*            189.2058         2.7314        1.88202          37.22
18*           -259.0589         0.1500
19             249.0484         5.2515        1.94595          17.98
20             -50.9436         1.1000        1.80518          25.46
21              36.5588         5.0575
22(絞り)                ∞         4.9913
23             -38.4110         7.4087        1.43700          95.10
24             -17.8239         1.0000        1.73800          32.33
25             113.4447         3.2521        1.59282          68.63
26            -186.0674         0.1500
27              69.4137         9.2429        1.59282          68.63
28             -28.7374         0.1500
29*            -63.6682         3.4000        1.76802          49.24
30*            -39.4280            d30
31                   ∞         1.4500        1.52301          58.59
32                   ∞             BF
像面                  ∞                                           
[非球面データ]
3面            4面           17面
K                0.0000        -1.0000         0.0000
A4           -3.3407E-06    -4.1324E-06    -1.3952E-06
A6            7.2687E-09     1.3754E-09    -5.4192E-09
A8           -6.1564E-12     3.5885E-12    -2.0446E-11
A10           0.0000E+00    -2.8503E-14     4.9685E-14
A12           0.0000E+00     7.1075E-18     0.0000E+00
18面           29面           30面
K                0.0000         0.0000         0.0000
A4            1.4159E-06    -1.7948E-05    -8.6298E-06
A6           -8.6100E-09    -1.6767E-08    -1.0088E-08
A8           -1.0466E-11    -3.2632E-11    -1.8291E-11
A10           4.2104E-14     1.3700E-13     1.0494E-13
A12           0.0000E+00     0.0000E+00     0.0000E+00
[各種データ]
INF   
焦点距離             28.59
Fナンバー             1.46
全画角2ω            74.99
像高Y              21.63
レンズ全長           152.51
[可変間隔データ]
INF      撮影距離1271mm
d0                   ∞      1118.5395
d14              6.9812         6.2507
d30             36.5101        37.2406
BF               1.0000         1.0000
[レンズ群データ]
群            始面         焦点距離
L1              1                186.95
L2             15                 54.21
Lsf             1                 50.34
【実施例４】
【００７５】
図１６は、実施例４に係る結像光学系の無限遠におけるレンズ構成図である。実施例４の結像光学系は、物体側から像側へ順に、フォーカシング時に固定の正の屈折力を有する第１レンズ群Ｌ１と、フォーカシング時に物体側に移動し正の屈折力を有する第２レンズ群Ｌ２とから構成される。
【００７６】
第１レンズ群Ｌ１は、物体側から像側へ順に、物体側に凸面を向けた凹メニスカスレンズと、Ｒ１面とＲ２面両面が非球面で物体側に凸面を向けた凹メニスカスレンズと、両凸レンズと、両凹レンズと両凸レンズの接合レンズと、両凹レンズと両凸レンズの接合レンズと、両凸レンズとから構成される。
【００７７】
第２レンズ群Ｌ２は、物体側から像側へ順に、両凸レンズと、Ｒ１面とＲ２面両面が非球面の両凸レンズと、両凸レンズと両凹レンズの接合レンズと、開口絞りＳと、物体側に凹面を向けた凸メニスカスレンズと両凹レンズと両凸レンズとの３枚接合レンズＬ２ｃと、両凸レンズと、Ｒ１面とＲ２面両面が非球面で物体側に凹面を向けた凸メニスカスレンズとから構成される。
【００７８】
続いて、以下に実施例４に係る結像光学系の諸元値を示す。
【００７９】
数値実施例4
単位：mm
[面データ]
面番号            r              d             nd             vd
物面                  ∞           (d0)                       
1              40.3177         1.9000        1.76385          48.49
2              25.7126         7.5974
3*              44.2156         2.4000        1.59201          67.02
4*              20.5178         8.4195
5             264.0942         3.5009        1.91082          35.25
6            -139.9958         2.5184
7             -52.5311         1.7000        1.45860          90.20
8             147.2965         4.2924        1.91082          35.25
9            -101.0200         2.9144
10             -46.8652         1.5000        1.78472          25.72
11              27.8321         8.6177        1.67300          38.26
12            -366.2456         0.2500
13              57.4848         6.4522        1.91082          35.25
14            -106.9221            d14
15             147.6181         3.3163        1.77250          49.62
16            -191.4821         0.1500
17*            129.6377         2.5087        1.90270          31.00
18*          -1000.0000         0.1500
19             144.7154         4.8929        1.92286          20.88
20             -56.5434         1.1000        1.73800          32.33
21              28.5414         5.5297
22(絞り)                ∞         4.0957
23             -42.9190         8.6221        1.43700          95.10
24             -16.7511         1.0000        1.73800          32.33
25              66.6742         6.4832        1.59282          68.63
26             -51.0243         0.1500
27              80.2726         9.7613        1.59282          68.63
28             -31.6434         0.6771
29*            -51.2206         3.4000        1.76802          49.24
30*            -36.9659            d30
31                   ∞         1.4500        1.52301          58.59
32                   ∞             BF
像面                  ∞                                       
[非球面データ]
3面            4面           17面
K                0.0000        -1.0000         0.0000
A4           -4.7779E-06    -2.2050E-06    -3.9461E-06
A6            3.1498E-09    -2.7099E-09    -1.0961E-08
A8           -4.4913E-12    -3.2222E-12    -1.7534E-11
A10           0.0000E+00    -1.6124E-14     8.1668E-14
A12           0.0000E+00     8.8775E-18     0.0000E+00
18面           29面           30面
K                0.0000         0.0000         0.0000
A4           -1.2500E-06    -1.1731E-05    -4.5517E-06
A6           -1.3843E-08    -7.5844E-09    -4.4807E-09
A8           -1.3501E-12    -1.9037E-11    -1.2108E-11
A10           6.2566E-14     3.5850E-14     2.9970E-14
A12           0.0000E+00     0.0000E+00     0.0000E+00
[各種データ]
INF   
焦点距離             28.43
Fナンバー             1.46
全画角2ω            75.30
像高Y              21.63
レンズ全長           152.52
[可変間隔データ]
INF      撮影距離1261mm
d0                   ∞      1108.5202  
d14              6.8207         6.0907
d30             39.3494        40.0794
BF               1.0000         1.0000
[レンズ群データ]
群            始面         焦点距離
L1              1                166.83
L2             15                 48.39
Lsf             1                 84.96
【実施例５】
【００８０】
図２１は、実施例５に係る結像光学系の無限遠におけるレンズ構成図である。実施例５の結像光学系は、物体側から像側へ順に、フォーカシング時に固定の正の屈折力を有する第１レンズ群Ｌ１と、フォーカシング時に物体側に移動し正の屈折力を有する第２レンズ群Ｌ２とから構成される。
【００８１】
第１レンズ群Ｌ１は、物体側から像側へ順に、物体側に凸面を向けた凹メニスカスレンズと、Ｒ１面とＲ２面両面が非球面で物体側に凸面を向けた凹メニスカスレンズと、両凸レンズと、両凹レンズと両凸レンズの接合レンズと、両凹レンズと両凸レンズの接合レンズと、両凸レンズとから構成される。
【００８２】
第２レンズ群Ｌ２は、物体側から像側へ順に、両凸レンズと、Ｒ１面とＲ２面両面が非球面の両凸レンズと、両凸レンズと両凹レンズの接合レンズと、開口絞りＳと、物体側に凹面を向けた凸メニスカスレンズと両凹レンズと両凸レンズとの３枚接合レンズＬ２ｃと、両凸レンズと、Ｒ１面とＲ２面両面が非球面で物体側に凹面を向けた凸メニスカスレンズとから構成される。
【００８３】
続いて、以下に実施例５に係る結像光学系の諸元値を示す。
【００８４】
数値実施例5
単位：mm
[面データ]
面番号            r              d             nd             vd
物面                  ∞           (d0)                   
1              45.9977         1.9000        1.76385          48.49
2              25.1338         9.4070
3*              56.5779         2.4000        1.59201          67.02
4*              24.7684         7.4494
5             471.3973         3.3291        1.95375          32.32
6            -140.0067         3.8048
7             -41.9847         1.7000        1.43700          95.10
8             100.5258         6.3247        1.91082          35.25
9             -72.3098         2.6764
10             -44.8985         1.5000        1.73800          32.33
11              31.9074         8.8575        1.59282          68.63
12            -387.2246         0.2500
13              61.5260         7.5947        1.80420          46.50
14             -89.3001            d14
15              72.1665         4.2559        1.76385          48.49
16            -958.4060         0.1500
17*            119.0382         3.6213        1.76802          49.24
18*           -149.1866         0.1500
19             333.2382         4.3554        1.92286          20.88
20             -63.2930         1.1000        1.73800          32.33
21              30.9770         5.5835
22(絞り)                ∞         4.9652
23             -39.6314         7.4855        1.45860          90.20
24             -17.8628         1.0000        1.73800          32.33
25             168.2052         3.2768        1.49700          81.61
26            -118.1115         0.7368
27              72.6269         8.5694        1.59282          68.63
28             -31.7540         0.2466
29*            -76.1964         3.4000        1.76802          49.24
30*            -41.4083            d30
31                   ∞         1.4500        1.52301          58.59
32                   ∞             BF
像面                  ∞                                                      
[非球面データ]
3面            4面           17面
K                0.0000        -1.0000         0.0000
A4           -3.9398E-06    -4.3891E-06    -2.1535E-06
A6            8.2421E-09     1.3317E-09    -9.2600E-10
A8           -8.6736E-12     8.3525E-12    -2.1205E-11
A10           0.0000E+00    -5.3271E-14     6.6801E-14
A12           0.0000E+00     3.4710E-17     0.0000E+00
18面           29面           30面
K                0.0000         0.0000         0.0000
A4            1.6303E-06    -7.6843E-06    -3.6277E-07
A6           -4.1954E-09    -7.4072E-09    -3.7194E-09
A8           -6.8591E-12     6.8616E-11     5.8130E-11
A10           5.1181E-14    -9.0126E-14    -5.9129E-14
A12           0.0000E+00     0.0000E+00     0.0000E+00
[各種データ]
INF  
焦点距離             28.72
Fナンバー             1.46
全画角2ω            74.75
像高Y              21.63
レンズ全長           152.06
[可変間隔データ]
INF      撮影距離1275mm
d0                   ∞      1122.9079
d14              6.9915         6.2577
d30             36.5288        37.2626
BF               1.0000         1.0000
[レンズ群データ]
群            始面         焦点距離
L1              1                186.69
L2             15                 54.14
Lsf             1                 53.19
【実施例６】
【００８５】
図２６は、実施例６に係る結像光学系の無限遠におけるレンズ構成図である。実施例６の結像光学系は、物体側から像側へ順に、フォーカシング時に固定の正の屈折力を有する第１レンズ群Ｌ１と、フォーカシング時に物体側に移動し正の屈折力を有する第２レンズ群Ｌ２とから構成される。
【００８６】
第１レンズ群Ｌ１は、物体側から像側へ順に、物体側に凸面を向けた凹メニスカスレンズと、Ｒ１面とＲ２面両面が非球面で物体側に凸面を向けた凹メニスカスレンズと、両凸レンズと、両凹レンズと両凸レンズの接合レンズと、両凹レンズと両凸レンズの接合レンズと、両凸レンズとから構成される。
【００８７】
第２レンズ群Ｌ２は、物体側から像側へ順に、両凸レンズと、Ｒ１面とＲ２面両面が非球面の両凸レンズと、両凸レンズと両凹レンズの接合レンズと、開口絞りＳと、物体側に凹面を向けた凸メニスカスレンズと両凹レンズと両凸レンズとの３枚接合レンズＬ２ｃと、両凸レンズと、Ｒ１面とＲ２面両面が非球面で物体側に凹面を向けた凸メニスカスレンズとから構成される。
【００８８】
続いて、以下に実施例６に係る結像光学系の諸元値を示す。
【００８９】
数値実施例6
単位：mm
[面データ]
面番号            r              d             nd             vd
物面                  ∞           (d0)                           
1              47.3207         1.9000        1.76385          48.49
2              25.1370         8.4554
3*              46.9543         2.4000        1.59201          67.02
4*              23.2091         8.1561
5             618.4976         3.2330        1.95375          32.32
6            -139.9990         4.0127
7             -40.5659         1.7000        1.43700          95.10
8              94.3906         6.6136        1.91082          35.25
9             -70.5544         2.4296
10             -46.9968         1.5000        1.73800          32.33
11              32.1175         8.6744        1.59282          68.63
12            -544.2563         0.2500
13              60.1374         7.5297        1.80420          46.50
14             -94.6982            d14
15              69.9167         4.3560        1.76385          48.49
16            -904.2656         0.1500
17*            112.6199         3.6175        1.76802          49.24
18*           -158.1655         0.1500
19             385.7929         4.1192        1.92286          20.88
20             -67.3866         1.1000        1.73800          32.33
21              30.2728         5.6940
22(絞り)                ∞         5.1548
23             -40.6450         7.8692        1.49700          81.61
24             -17.6592         1.0000        1.72047          34.71
25              89.6119         4.1610        1.49700          81.61
26            -102.4644         0.1500
27              67.2593         8.6087        1.59282          68.63
28             -32.5264         0.1500
29*            -74.3568         3.4000        1.76802          49.24
30*            -43.9446            d30
31                   ∞         1.4500        1.52301          58.59
32                   ∞             BF
像面                  ∞                                    
[非球面データ]
3面            4面           17面
K                0.0000        -1.0000         0.0000
A4           -5.1231E-06    -4.8891E-06    -2.6581E-06
A6            1.0612E-08     3.7734E-09    -1.9882E-09
A8           -9.9412E-12     9.3013E-12    -1.8211E-11
A10           0.0000E+00    -5.7662E-14     5.9593E-14
A12           0.0000E+00     3.3125E-17     0.0000E+00
18面           29面           30面
K                0.0000         0.0000         0.0000
A4            1.0964E-06    -7.2907E-06    -3.3343E-07
A6           -4.7729E-09    -9.4121E-09    -6.1575E-09
A8           -3.7791E-12     8.7358E-11     7.6511E-11
A10           4.3214E-14    -1.2811E-13    -9.5067E-14
A12           0.0000E+00     0.0000E+00     0.0000E+00
[各種データ]
INF 
焦点距離             28.70
Fナンバー             1.46
全画角2ω            74.78
像高Y              21.63
レンズ全長           152.51
[可変間隔データ]
INF      撮影距離1275mm
d0                   ∞      1122.6885 
d14              7.0149         6.2814
d30             36.5101        37.2436
BF               1.0000         1.0000
[レンズ群データ]
群            始面         焦点距離
L1              1                186.32
L2             15                 54.03
Lsf             1                 56.03
【実施例７】
【００９０】
図３１は、実施例７に係る結像光学系の無限遠におけるレンズ構成図である。実施例７の結像光学系は、物体側から像側へ順に、フォーカシング時に固定の正の屈折力を有する第１レンズ群Ｌ１と、フォーカシング時に物体側に移動し正の屈折力を有する第２レンズ群Ｌ２とから構成される。
【００９１】
第１レンズ群Ｌ１は、物体側から像側へ順に、物体側に凸面を向けた凹メニスカスレンズと、Ｒ１面とＲ２面両面が非球面で物体側に凸面を向けた凹メニスカスレンズと、両凸レンズと、物体側に凹面を向けた凹メニスカスレンズと物体側に凹面を向けた凸メニスカスレンズの接合レンズと、両凹レンズと両凸レンズの接合レンズと、両凸レンズとから構成される。
【００９２】
第２レンズ群Ｌ２は、物体側から像側へ順に、両凸レンズと、Ｒ１面とＲ２面両面が非球面の両凸レンズと、両凸レンズと両凹レンズの接合レンズと、開口絞りＳと、物体側に凹面を向けた凸メニスカスレンズと両凹レンズと両凸レンズとの３枚接合レンズＬ２ｃと、両凸レンズと、Ｒ１面とＲ２面両面が非球面で物体側に凹面を向けた凸メニスカスレンズとから構成される。
【００９３】
続いて、以下に実施例７に係る結像光学系の諸元値を示す。
【００９４】
数値実施例7
単位：mm
[面データ]
面番号            r              d             nd             vd
物面                  ∞           (d0)                             
1              58.1029         1.9000        1.49700          81.61
2              25.8323         7.2193
3*              43.8421         2.4000        1.49710          81.56
4*              22.0018         8.6381
5             192.3206         3.3668        1.91082          35.25
6            -203.9976         3.6511
7             -44.3384         1.7000        1.45860          90.20
8            -541.7426         3.0629        1.91082          35.25
9             -89.2131         2.6893
10             -48.4573         1.5000        1.74077          27.76
11              31.0147         8.8448        1.64000          60.08
12            -184.2732         0.2500
13              62.0439         6.5390        1.91082          35.25
14            -116.2143            d14
15             127.7060         3.1356        1.77250          49.62
16            -575.1914         0.1500
17*             89.9200         3.1227        1.90270          31.00
18*          -1000.0000         0.1500
19             182.1987         5.2105        1.92286          20.88
20             -53.1299         1.1000        1.73800          32.33
21              28.8535         5.7797
22(絞り)                ∞         3.8979
23             -50.8188         8.1716        1.43700          95.10
24             -18.3608         1.0000        1.73800          32.33
25              57.3244         6.2597        1.59282          68.63
26             -63.7403         0.1500
27              76.7803         9.2815        1.59282          68.63
28             -33.2081         1.4684
29*            -53.8051         3.4000        1.76802          49.24
30*            -37.8796            d30
31                   ∞         1.4500        1.52301          58.59
32                   ∞             BF
像面                  ∞                                    
[非球面データ]
3面            4面           17面
K                0.0000        -1.0000         0.0000
A4            3.0045E-06     5.2317E-06    -3.4789E-06
A6           -6.2605E-09    -5.4397E-09    -9.3009E-09
A8            8.9736E-12    -1.9937E-11    -1.8154E-11
A10           0.0000E+00     7.0849E-14     3.5896E-14
A12           0.0000E+00    -6.9098E-17     0.0000E+00
18面           29面           30面
K                0.0000         0.0000         0.0000
A4           -8.7973E-07    -1.2297E-05    -5.3524E-06
A6           -1.1780E-08    -4.4775E-09    -2.5556E-09
A8           -3.2855E-12    -2.9605E-11    -1.9302E-11
A10           2.1332E-14     5.0434E-14     3.8201E-14
A12           0.0000E+00     0.0000E+00     0.0000E+00
[各種データ]
INF  
焦点距離             30.28
Fナンバー             1.47
全画角2ω            72.18
像高Y              21.63
レンズ全長           152.52
[可変間隔データ]
INF      撮影距離1335mm
d0                   ∞      1182.9464 
d14              7.5525         6.7750
d30             38.4785        39.2560
BF               1.0000         1.0000
[レンズ群データ]
群            始面         焦点距離
L1              1                177.70
L2             15                 51.53
Lsf             1                 81.41
【００９５】
［条件式対応値］
2019219472.tif 000010
【００９６】
各実施例の諸収差図から明らかなとおり、本発明によれば、従来の結像光学系の課題であった軸上色収差を良好に補正し、Ｆ値がＦ１．４程度の結像光学系を提供することができる。
【符号の説明】
【００９７】
Ｌ１    第１レンズ群
Ｌ２    第２レンズ群
Ｌｓｆ  レンズ群Ｌｓｆ
Ｌ２ｃ  ３枚接合レンズＬ２ｃ
Ｓ      開放絞り
ＬＰＦ  ローパスフィルター
Ｉ      像面
【図１】
2019219472.tif 000014
【図２】
2019219472.tif 000015
【図３】
2019219472.tif 000016
【図４】
2019219472.tif 000017
【図５】
2019219472.tif 000018
【図６】
2019219472.tif 000019
【図７】
2019219472.tif 000020
【図８】
2019219472.tif 000021
【図９】
2019219472.tif 000022
【図１０】
2019219472.tif 000023
【図１１】
2019219472.tif 000024
【図１２】
2019219472.tif 000025
【図１３】
2019219472.tif 000026
【図１４】
2019219472.tif 000027
【図１５】
2019219472.tif 000028
【図１６】
2019219472.tif 000029
【図１７】
2019219472.tif 000030
【図１８】
2019219472.tif 000031
【図１９】
2019219472.tif 000032
【図２０】
2019219472.tif 000033
【図２１】
2019219472.tif 000034
【図２２】
2019219472.tif 000035
【図２３】
2019219472.tif 000036
【図２４】
2019219472.tif 000037
【図２５】
2019219472.tif 000038
【図２６】
2019219472.tif 000039
【図２７】
2019219472.tif 000040
【図２８】
2019219472.tif 000041
【図２９】
2019219472.tif 000042
【図３０】
2019219472.tif 000043
【図３１】
2019219472.tif 000044
【図３２】
2019219472.tif 000045
【図３３】
2019219472.tif 000046
【図３４】
2019219472.tif 000047
【図３５】
2019219472.tif 000048